(57)【特許請求の範囲】
【請求項１】
光源ランプから出射された光をリフレクタで反射させる光源装置と、この光源装置が固定ばねで取り付けられるランプハウジングとを備えた光源ランプユニットにおいて、
前記光源装置は前記固定ばねによって前記リフレクタを介して前記ランプハウジングに固定されており、
前記光源ランプの電極端子は、前記リフレクタの外周面上に設けられ、
前記固定ばねは、前記リフレクタの外周面上に設けられた前記光源ランプの電極端子とは前記光源ランプの光軸を挟んで互いに反対側となるように配置されていることを特徴とする光源ランプユニット。
【請求項２】
請求項１に記載の光源ランプユニットにおいて、前記リフレクタは、その開口面の正面形状が略矩形状とされ、前記固定ばねは前記リフレクタの開口面正面の互いに隣り合う２辺側に設けられ当該２辺と対向する２辺に向かって付勢するようにされていることを特徴とする光源ランプユニット。
【請求項３】
請求項１または２に記載の光源ランプユニットにおいて、前記リフレクタの開口面と、この開口面と当接する前記ランプハウジングの当接部とは補助付勢手段で固定されていることを特徴とする光源ランプユニット。
【請求項４】
請求項１〜３のいずれかに記載の光源ランプユニットにおいて、前記ランプハウジングには金属製の把手が設けられ、この把手と前記光源ランプの電極端子との間は絶縁材で遮断されていることを特徴とする光源ランプユニット。
【請求項５】
請求項４に記載の光源ランプユニットにおいて、前記把手は略コ字形に形成された把手本体と、この把手本体の両端部にそれぞれ設けられ前記ランプハウジングに回動自在に支持された軸支部とを備え、前記ランプハウジングには前記把手本体を保持する突起が形成されていることを特徴とする光源ランプユニット。
【請求項６】
請求項１〜５のいずれかに記載の光源ランプユニットと、この光源ランプユニットから出射された光を変調するライトバルブと、このライトバルブによって変調された光を投写面上に拡大投写する投写レンズユニットとを備えていることを特徴とする投写型表示装置。
【発明の詳細な説明】
【０００１】
【発明の属する技術分野】
本発明は、例えば、光学機器などに用いられる光源ランプを備えた光源ランプユニットおよび光源ランプユニットを備えた投写型表示装置に関する。
【０００２】
【背景技術】
今日、パーソナルコンピュータ等の画像を拡大投写するための投写型表示装置の開発、研究が盛んである。
【０００３】
このような投写型表示装置では、光源ランプから出射された光をリフレクタで反射させ、この出射光を画像信号に基づいて液晶パネル等のライトバルブで変調し、変調後の光像を投写レンズ等によって投写面上に拡大投写する構成となっている。
【０００４】
光源ランプはプラス（＋）マイナス（−）端子を備え、これらの端子間で数十ｋＶの電圧を印加することにより発光する構造である。この光源ランプは交流電源あるいは直流電源が利用されている。
【０００５】
低電圧側の電極端子はリフレクタの光源ランプと同軸上に設けられ、高電圧側の電極端子はリフレクタの前記光源ランプとは離れた位置に設けられている。
【０００６】
従来の投写型表示装置では、光源ランプとこの光源ランプを軸心に取り付けた略円錐状のリフレクタから光源装置が構成され、この光源装置とランプハウジングとから光源ランプユニットが構成される。
【０００７】
光源装置は取り外し可能なように線ばねを利用してランプハウジングに固定されており、光源ランプユニットは投写型表示装置のケースから取り外せるようにするために金属製の把手がランプハウジングに設けられている。
【０００８】
【発明が解決しようとする課題】
投写型表示装置では、光源ランプの電極端子と線ばね、把手等の金属部材との直線距離または沿面距離が一定以下になると端子と金属部材との間で放電を起こしてしまい、光源ランプが十分に発光しないばかりか、この金属部材からの二次放電により回路素子に不具合が生じる。
【０００９】
従来では、光源装置等が比較的大きいため、電極端子と金属部材との配置はあまり考慮されていないが、装置の小型化が求められる現状では、電極端子と金属部材とを放電を起こすことない両者の配列が望まれている。
【００１０】
本発明の目的は、電極端子と金属部材との間で放電することがない光源ランプユニットおよび投写型表示装置を提供することにある。
【００１１】
【課題を解決するための手段】
そのため、本発明は光源装置をランプハウジングに取り付けるための固定ばねと光源ランプの電極端子とを光源ランプの光軸を挟んで互いに反対側となるように配置して前記目的を達成しようとするものである。
【００１２】
具体的には、本発明の光源ランプユニットは、光源ランプから出射された光をリフレクタで反射させる光源装置と、この光源装置が固定ばねで取り付けられるランプハウジングとを備えた光源ランプユニットにおいて、前記光源装置は前記固定ばねによって前記リフレクタを介して前記ランプハウジングに固定されており、前記光源ランプの電極端子は、前記リフレクタの外周面上に設けられ、前記固定ばねは、前記リフレクタの外周面上に設けられた前記光源ランプの電極端子とは前記光源ランプの光軸を挟んで互いに反対側となるように配置されていることを特徴とする。
【００１３】
本発明によれば、金属製である固定ばね（線ばね）は光源ランプの光軸を挟んで光源ランプの電極端子とは反対側の位置、つまり、光源ランプの電極端子から最も離れた位置に配置されることになる。
【００１４】
そのため、電極端子と固定ばねとでの放電を防止することができ、光源ランプが十分に発光することになる。
【００１５】
ここで、本発明では、前記リフレクタは、その開口面の正面形状が略矩形状とされ、前記固定ばねは前記リフレクタの開口面正面の互いに隣り合う２辺側に設けられ当該２辺と対向する２辺に向かって付勢するように構成されるものでもよい。
【００１６】
この構成では、固定ばねで光源装置を２方向からランプハウジングに押しつけることにより、光源装置のランプハウジングへの固定を確実に行えるだけでなく、光電ランプの電極端子をリフレクタの当該２辺と対向する２辺側に近接するように配置することで電極端子と固定ばねとの間の放電を確実に防止することができる。
【００１７】
また、前記リフレクタの開口面と、この開口面と当接する前記ランプハウジングの当接部とは補助付勢手段で固定されている構成としてもよい。
【００１８】
この構成では、光源装置とランプハウジングとの間の固定を強固なものにできる。
【００１９】
さらに、前記ランプハウジングには金属製の把手が設けられ、この把手と前記光源ランプの電極端子との間は絶縁材で遮断されている構成でもよい。
【００２０】
この構成では、電極端子と把手との間の距離は沿面距離となり、両者の間での放電が発生しにくくなる。
【００２１】
また、前記把手は略コ字形に形成された把手本体と、この把手本体の両端部にそれぞれ設けられ前記ランプハウジングに回動自在に支持された軸支部とを備え、前記ランプハウジングには前記把手本体を保持する突起が形成されている構成としてもよい。
【００２２】
この構成では、非使用時の把手をランプハウジングに収納することができるとともに、収納時の把手が突起でがたつくことなく保持される。
【００２３】
また、本発明では、以上に記載の光源ランプユニットと、この光源ランプユニットから出射された光を変調するライトバルブと、このライトバルブによって変調された光を投写面上に拡大投写する投写レンズユニットとを備えて投写型表示装置を構成するものである。
【００２４】
従って、これらの発明によれば、電極端子と金属部材との間で放電することがない投写型表示装置を提供することが可能である。
【００２５】
【発明の実施の形態】
以下、本発明の一実施形態を図面に基づいて説明する。
【００２６】
図１から図５には本実施形態に係る投写型表示装置１が示されている。
【００２７】
図１は投写型表示装置１の全体構成を示す斜視図であり、図２は投写型表示装置１の内部構成を示す概略平面構成図であり、図３は、図２のＩＩＩ−ＩＩＩ線に沿った矢視断面図である。
【００２８】
これらの図において、この投写型表示装置１は、直方体形状をした外装ケース２と、この外装ケース２の内部に配置された電源ユニット７と、この電源ユニット７に隣接配置された光源ランプユニット２０と、この光源ランプユニット２０からほぼ光軸に沿って出射された光束を入射できる光学ユニット９と、この光学ユニット９の前側の中央に配置された投写レンズユニット６とを備えて構成されている。
【００２９】
外装ケース２は、アッパーケース３と、ロアーケース４と、装置前面を規定しているフロントケース５から構成され、フロントケース５の中央から投写レンズユニット６の先端側の部分が突出している。
【００３０】
光学ユニット９の側方には、装置の前後方向に向けてインターフェース基板１１１が配置され、このインターフェース基板１１１に平行にビデオ信号処理回路が搭載されたビデオ基板１１２が配置されている。
【００３１】
さらに、光源ランプユニット２０、光学ユニット９の上側には、装置駆動制御用の制御基板１１３が配置され、装置前端側の左右の角には、それぞれスピーカ１１４Ｒ，１１４Ｌが配置されている。
【００３２】
光学ユニット９の上面側の中央には冷却用の吸気ファン１１５Ａが配置され、光学ユニット９の底面側の中央には冷却用循環流形成用の循環用ファン１１５Ｂが配置されている。
【００３３】
光源ランプユニット２０の裏面側である装置側面には排気ファン１１６が配置されている。そして、電源ユニット７における基板１１１，１１２の端に面する位置には吸気ファン１１５Ａからの冷却用空気流を電源ユニット７内に吸引するための補助冷却ファン１１７が配置されている。
【００３４】
電源ユニット７の直上には、その装置左側の位置にフロッピーディスク駆動ユニット（ＦＤＤ）１１８が配置されている。
【００３５】
図４には、光学ユニット９および投写レンズユニット６の部分を取り出して示されている。
【００３６】
図４に示される通り、光学ユニット９は、色合成プリズム９１０以外の光学素子が上下のライトガイド９０１，９０２の間に上下から挟まれて保持された構成となっている。上ライトガイド９０１、下ライトガイド９０２は、それぞれアッパーケース３およびロアーケース４の側に固定ねじにより固定されている。また、これらの上下のライトガイド９０１、９０２は、色合成プリズム９１０の側に同じく固定ねじによって固定されている。色合成プリズム９１０は、厚手のヘッド板９０３の裏面側に固定ねじによって固定されている。このヘッド板９０３の前面には、投写レンズユニット６の基端側が固定ねじで固定されている。
【００３７】
図５には、投写型表示装置１に組み込まれている光学系の概略構成が示されている。
【００３８】
図５において、投写型表示装置１の光学系には、光源ランプユニット２０の構成要素である光源ランプ１０と、均一照明光学素子であるインテグレータレンズ９２１およびインテグレータレンズ９２２から構成される均一照明光学系９２３が採用されている。そして、投写型表示装置１は、この均一照明光学系９２３から出射される白色光束Ｗを赤（Ｒ）、緑（Ｇ）、青（Ｂ）に分離する色分離光学系９２４と、各色光束Ｒ、Ｇ、Ｂを変調する３枚の液晶ライトバルブ９２５Ｒ，９２５Ｇ，９２５Ｂと、変調された後の色光束を再合成する色合成光学系としての色合成プリズム９１０と、合成された光束をスクリーン１００の表面に拡大投写する投写レンズユニット６のうち、青色光束Ｂに対応する液晶ライトバルブ９２５Ｂに導く導光系９２７を備えている。
【００３９】
均一照明光学系９２３は、反射ミラー９３１を備えており、均一照明光学系９２３からの出射光の光軸１ａを装置前方向に向けて直角に折り曲げるようにしている。この反射ミラー９３１を挟んでインテグレータレンズ９２１，９２２が直交する状態に配置されている。
【００４０】
光源ランプ１０からの出射光は、このインテグレータレンズ９２１を介してインテグレータレンズ９２２を構成している各レンズの入射面上にそれぞれ２次光源像として投写され、当該インテグレータレンズ９２２からの出射光を用いて被照明対象物が照射されることになる。
【００４１】
各色分離光学系９２４は、青緑反射ダイクロイックミラー９４１と、緑反射ダイクロイックミラー９４２と、反射ミラー９４３から構成される。白色光束Ｗは、青緑反射ダイクロイックミラー９４１において、そこに含まれている青色光束Ｂおよび緑色光束Ｇが直角に反射され、緑反射ダイクロイックミラー９４２の側に向かう。赤色光束Ｒはこのミラー９４１を通過して、後方の反射ミラー９４３で直角に反射され、赤色光束Ｒの出射部９４４から出射される。
【００４２】
ミラー９４１において反射された青色、緑色光束Ｂ，Ｇは、緑反射ダイクロイックミラー９４２において、緑色光束Ｇのみが直角に反射されて、緑色光束Ｇの出射部９４５から色合成光学系の側に出射される。このミラー９４２を通過した青色光束Ｂは、青色光束Ｂの出射部９４６から導光系９２７の側に出射される。本例では、均一照明光学素子の白色光束Ｗの出射部から、色分離光学系９２４における各色光束の出射部９４４，９４５，９４６までの距離が全て等しくなるように設定されている。
【００４３】
色分離光学系９４２の赤色、緑色光束Ｒ，Ｇの出射部９４４，９４５の出射側には、それぞれ集光レンズ９５１，９５２が配置されている。したがって、各出射部から出射した赤色、緑色光束Ｒ，Ｇは、これらの集光レンズ９５１，９５２に入射して平行化される。
【００４４】
このように平行化された赤色、緑色光束Ｒ，Ｇは、入射側偏光板９６０Ｒ，９６０Ｇを通って液晶ライトバルブ９２５Ｒ，９２５Ｇに入射して変調され、各色光に対応した画像情報が付加される。一方、青色光束Ｂは、導光系９２７を介して対応する液晶ライトバルブ９２５Ｂに導かれ、ここにおいて、同様に画像情報に応じて変調が施される。本例のライトバルブは、例えば、ポリシリコンＴＦＴをスイッチング素子として用いることができる。
【００４５】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶ライトバルブ９２５Ｂの手前側に配置した集光レンズ９５３とから構成されており、集光レンズ９５３から出射した青色光束Ｂは、入射側偏光板９６０Ｂを通って液晶ライトバルブ９５２Ｂに入射して変調される。各色光束の光路長、すなわち、光源ランプ１０から各液晶パネルまでの距離は青色光束Ｂが最も長くなり、そのため、この光束の光量損失が最も多くなる。導光系９２７を介在させることで光量損失を抑制できる。
【００４６】
次に、各液晶ライトバルブ９２５Ｒ，９２５Ｇ，９２５Ｂを通って変調された各色光束Ｒ，Ｇ，Ｂは、出射側偏光板９６１Ｒ，９６１Ｇ，９６１Ｂを通って色合成プリズム９１０に入射され、ここで再合成される。この色合成プリズム９１０によって合成されたカラー画像が投写レンズユニット６を介して所定の位置にあるスクリーン１００の表面に拡大投写される。
【００４７】
図６から図１２には本実施形態にかかる光源ランプユニット２０が詳細に示されている。
【００４８】
図６および図７はそれぞれ光源ランプユニット２０の異なる方向から見た斜視図であり、図８は光源ランプユニット２０の平面図であり、図９は光源ランプユニット２０の側面図であり、図１０は光源ランプユニット２０の背面図であり、図１１は光源ランプユニット２０の底面図である。
【００４９】
これらの図において、光源ランプユニット２０は、前記光源ランプ１０を有する光源装置１１と、この光源装置１１が固定ばね１２で取り付けられたランプハウジング２２とを備えている。
【００５０】
ランプハウジング２２は、ベース部２２Ａと、このベース部２２Ａの正面側に立設する第１立上部２２Ｂと、ベース部２２Ａの両側面側にそれぞれ対向して立設する第２立上部２２Ｃおよび第３立上部２２Ｈとを備え、ベース部２２Ａは外装ケース２（図１および図２参照）に対して取付ねじ２３で着脱自在に取り付けられる。
【００５１】
光源装置１１は、前記光源ランプ１０と、光源ランプ１０を囲うとともに光源ランプ１０から出射された光を反射させる略扁平円錐状のリフレクタ２１とを備え、このリフレクタ２１の開口面と、この開口面と当接するランプハウジング２２の当接部とは補助付勢手段である２個のコ字形クリップ１３で固定されている。これらのコ字形のクリップ１３はリフレクタ２１の軸心を挟んで互いに対向する位置に配置されている。本実施形態では、クリップ１３は端子側の角部を除いた３箇所の角部に配置するものでもよい。
【００５２】
光源ランプ１０は、互いに対向配置された陽極芯棒および陰極芯棒と、これらの芯棒の互いに対向しない側の端部に接続されたモリブデン箔と、各芯棒および各モリブデン箔を覆う発光管とを備えたＤＣ点灯用のメタルハライドランプである。このランプは、ＤＣ点灯用以外にＡＣ点灯用を利用することができる。
【００５３】
陰極芯棒はリード線を介して低電圧のマイナス電極端子１０Ａと接続され、このマイナス電極端子１０Ａはリフレクタ２１の光源ランプ１０の軸心上に設けられている。
【００５４】
陽極芯棒はリード線を介して高電圧のプラス電極端子１０Ｂと接続され、このプラス電極端子１０Ｂはリフレクタ２１の外周面上であってマイナス電極端子１０Ａと離れた位置に設けられている。また、光源装置１１の小型化を図るため、プラス電極端子１０Ｂの正面側配置位置はリフレクタ２１の平面内である。
【００５５】
両電極端子１０Ａ，１０Ｂの間には数十ｋＶの電圧が印加されるようになっており、マイナス電極端子１０Ａが高電圧側の電極であり、プラス電極端子１０Ｂが低電圧側の電極である。これらの電極端子１０Ａ，１０Ｂはそれぞれリード線１４の一端と接続され、これらのリード線１４の他端は、それぞれランプハウジング２２に設けられたソケット１５に取り付けられている。
【００５６】
リフレクタ２１は、その開口面の正面形状が側面を切り欠いて略矩形状とされた本体２１Ａと、この本体２１Ａの側面に形成された切欠部を覆う平面部２１Ｂとを備えた構成であり、その正面側に透明な保護ガラス２４が設けられている。リフレクタ２１の開口端縁において互いに隣り合う２辺には、光源ランプ１０をＹ軸およびＺ軸に位置合わせして取り付けるための位置合わせ用基準面２１Ｃが形成され、リフレクタ２１の開口部前面には、光源ランプ１０をＸ軸方向に位置合わせして取り付けるための位置合わせ用基準面２１Ｄが形成されている。ここで、平面部２１Ｂの開口面側端縁は位置合わせ用基準面２１Ｃ，２１Ｄを構成する。
【００５７】
この位置合わせ用基準面２１Ｃ，２１Ｄは、光源装置１１をランプハウジング２２に取り付けるための取付用基準面を兼ねる。すなわち、位置合わせ用基準面２１Ｃをランプハウジング２２のベース部２２Ａと第２立上部２２Ｃに合わせ、かつ、位置合わせ用基準面２１Ｄをランプハウジング２２の第１立上部２２Ｂに合わせることにより、光源ランプ１０のランプハウジング２２に対する位置決めがされることになる。
【００５８】
固定ばね１２は、プラス電極端子１０Ｂとは光源ランプ１０の光軸を挟んで互いに反対側であってリフレクタ２１の位置合わせ用基準面２１Ｃに対向した２辺側に配置され、当該位置合わせ用基準面２１Ｃに向かって付勢するように構成されている。
【００５９】
この固定ばね１２は、その一端が第２立上部２２Ｃの上部に形成された係合孔２２Ｄに係合され、その他端が第３立上部２２Ｈの下部に形成された係合孔２２Ｅに係合され、その中心部が当該第３立上部２２Ｈの上部に形成された挿通孔２２Ｆに挿通された略Ｌ字型の金属製線ばねである。
【００６０】
ランプハウジング２２のベース部２２Ａの下面には光源ランプユニット２０を外装ケース２から取り出すための把手２５が設けられており、この把手２５はベース部２２Ａの底部に形成された凹み２２Ｇに収納可能とされている。ここで、把手２５は金属製であるが、ランプハウジング２２は、絶縁性のプラスチックから形成されているため、金属製の把手２５と光源ランプ１０のプラス電極端子１０Ｂとの間は絶縁材からなるランプハウジング２２によって電気的に遮断されることになる。
【００６１】
把手２５は、略コ字形に形成された把手本体２５Ａと、この把手本体２５Ａの両端部にそれぞれ設けられベース部２２Ａに回動自在に支持された軸支部２５Ｂとを備えた１本の弾性力を有する線材から構成されている。
【００６２】
ベース部２２Ａの底部に形成された凹み２２Ｇには把手本体２５Ａを保持する突起２６，２７が形成されている。
【００６３】
把手２５のランプハウジング２２への具体的な保持構造が図１２および図１３に示されている。図１２は把手２５の一端部近傍の保持構造を示す断面図であり、図１３は把手２５の中心部近傍の保持構造を示す断面図である。
【００６４】
図１２において、突起２６は凹み２２Ｇの側面から突出して形成されており、その上端部に把手本体２５Ａが支持可能とされている。把手本体２５Ａを軸支部２５Ｂを中心として回動することにより、把手２５は、その弾性力に抗して突起２６から外れることになる（想像線参照）。
【００６５】
両端側の軸支部２５Ｂはベース部２２Ａの袋状に形成された被支持部に回動自在に支持されており、ベース部２２Ａを通じての把手２５と電極端子１０Ａ，１０Ｂとの通電状態が阻止されている。ランプハウジング２２は射出成形法により射出一体成形で製造されるが、ベース部２２Ａの互いに対向する位置に袋状に形成された被支持部を一体に形成するため、射出成形用の金型に被支持部を形成するためのピンを対向配置する。
【００６６】
図１３において、突起２７は凹み２２Ｇの両側面からそれぞれ突出して形成されている。ここで、把手本体２５Ａは、その弾性により、突起２６と突起２７とにより挟持される。こうしておくと、把手２５はベース部２２に形成された凹み２２Ｇ内にガタつくことなく収納される。したがって、光源ランプユニットを組み込んだ投写型表示装置では、振動や音により光源ランプユニットの把手２５が共振してしまうことを防げる。なお、把手２５の他端部近傍には突起２６は形成されていないため、把手本体２５Ａは隣り合う２辺で突起２６，２７で保持される構造である。なお、本実施形態では、１つの突起２６または突起２７のみ、あるいは突起２６を両側に設けて合計３つの突起２６，２７で把手本体２５Ａを保持する構造としてもよい。
【００６７】
このような本実施形態においては、まず、リフレクタ２１に設けられた位置合わせ用基準面２１Ｃ，２１ＤからＸ軸、Ｙ軸およびＺ軸に対してそれぞれ予め定められた寸法だけ離れて光源ランプ１０をリフレクタ２１の軸心部に取り付ける。その後、保護ガラス２４をリフレクタ２１の正面に取り付けて光源装置１１を組み立てる。
【００６８】
さらに、この光源装置１１をランプハウジング２２に取り付けて光源ランプユニット２０を組み立てるが、この組立作業にあたり、リフレクタ２１の位置合わせ用基準面２１Ｃ，２１Ｄをランプハウジング２２の所定位置に押しつけることにより光源ランプ１０のランプハウジング２２に対する位置決めを行い、その後、固定ばね１２およびコ字形のクリップ１３でランプハウジング２２と光源装置１１とを確実に固定する。ここで、金属製の固定ばね１２を光源ランプ１０の光軸を挟んで光源ランプ１０の高電圧の電極端子１０Ｂとは反対側の位置に取り付ける。固定ばね１２は光源装置１１の位置合わせ用基準面２１Ｃ，２１Ｄをランプハウジング２２の所定位置に押しつける状態にする。
このように組み立てられた光源ランプユニット２０を予め電源ユニット７等の部品を装着した外装ケース２に取り付けて投写型表示装置１の組立作業が完了する。
【００６９】
このような本実施形態によれば、以下のような効果がある。
【００７０】
すなわち、光源装置１１とランプハウジング２２とを取り付けるための固定ばね１２を、光源ランプ１０の電極端子１０Ｂとは前記光源ランプ１０の光軸を挟んで反対側となるように配置したから、電極端子１０Ｂと固定ばね１２とは相対的に最も離れた場所に位置することになり、電極端子１０Ｂと固定ばね１２とでの放電を防止することができ、安全に、光源ランプ１０を十分に発光させることができる。
【００７１】
また、リフレクタ２１は、その開口面の正面形状が略矩形状とされ、固定ばね１２はリフレクタ２１の開口面正面の互いに隣り合う２辺側に設けられ当該２辺と対向する２辺に向かって付勢するように構成されるものであるから、固定ばね１２で光源装置１１を２方向からランプハウジング２２に押しつけることにより、光源装置１１のランプハウジング２２への固定を確実に行えるだけでなく、光源ランプ１０の電極端子１０Ｂをリフレクタ２１の当該２辺と対向する２辺側に近接するように配置することで電極端子１０Ｂと固定ばね１２との間の放電を確実に防止することができる。
【００７２】
さらに、リフレクタ２１の開口面と、この開口面と当接するランプハウジング２２の当接部とは補助付勢手段であるコ字形クリップ１３で固定されているので、光源装置１１とランプハウジング２２との間の固定を強固なものにできる。
【００７３】
また、ランプハウジング２２には金属製の把手２５が設けられ、この把手２５と光源ランプ１０の電極端子１０Ｂとの間は絶縁材、つまり、絶縁性を有するプラスチック製のランプハウジング２２で遮断されているから、電極端子１０Ｂと把手２５との間の距離は沿面距離となり、両者の間での放電が発生しにくい。
【００７４】
また、把手２５は略コ字形に形成された把手本体２５Ａと、この把手本体２５Ａの両端部にそれぞれ設けられランプハウジング２２に回動自在に支持された軸支部２５Ｂとを備えた構成であり、ランプハウジング２２には突起２６，２７が形成されているから、非使用時の把手２５をランプハウジング２２に収納することができるとともに、収納時の把手２５は突起２６，２７でがたつくことなく保持される。
【００７５】
また、本実施形態では、光源装置１１は、光源ランプ１０と、この光源ランプ１０から出射された光を反射させるリフレクタ２１とを備え、このリフレクタ２１には光源ランプ１０をＸ軸、Ｙ軸およびＺ軸に位置合わせして取り付けるための位置合わせ用基準面２１Ｃ，２１Ｄを形成したから、この位置合わせ用基準面２１Ｃ，２１ＤからＸ軸、Ｙ軸およびＺ軸に対してそれぞれ予め定められた寸法だけ離れて光源ランプ１０を取り付けることで、光源ランプ１０を点灯しながら光源ランプ１０のリフレクタ２１への取付位置の微調整を行わなくてもよくなる。
【００７６】
さらに、リフレクタ２１はランプハウジング２２に取り付け可能とされ、位置合わせ用基準面２１Ｃは、リフレクタ２１をランプハウジング２２に取り付けるための取付用基準面を兼ねている構成であるから、光源装置１１をランプハウジング２２に取り付けて光源ランプユニット２０を組み立てるに際して、ランプハウジング２２にリフレクタ２１の基準面側を押しつけるだけで光学ランプがランプハウジング２２に対して正確に位置決めされることになり、容易に光源ランプ１０を光軸上の所定の位置に配置することができる。
【００７７】
そして、リフレクタ２１は、その開口面の正面形状が側面を切り欠いて略矩形状とされたから、光源装置１１の小型化を図ることができるだけでなく、略矩形状開口面の互いに直交する２辺を位置合わせ用基準面２１Ｃとすることにより、光源ランプ１０をより正確にリフレクタ２１に取り付けることができる。
【００７８】
さらにまた、リフレクタ２１は、本体２１Ａと、この本体２１Ａの側面に形成された切欠部を覆う平面部２１Ｂとを備え、この平面部２１Ｂの端縁は位置合わせ用基準面２１Ｃを構成するから、平面部２１Ｂで切欠部を覆うことにより、仮に、光源ランプ１０が事故等に起因して破裂しても、光源ランプ１０の破片が平面部２１Ｂで塞がれることで光源ランプユニット２０の外に飛散することを防止できる。
【００７９】
また、本実施形態では、以上の構成の光源装置１１と、この光源装置１１を取り付けるためのランプハウジング２２とを備えて光源ランプユニット２０を構成するものであるから、組立作業が簡単に行える光源ランプユニット２０を提供することが可能である。
【００８０】
さらに、以上の構成の光源ランプユニット２０と、この光源ランプユニット２０から出射された光を変調する液晶ライトバルブ９２５Ｒ，９２５Ｇ，９２５Ｂと、このライトバルブ９２５Ｒ，９２５Ｇ，９２５Ｂによって変調された光を投写面上に拡大投写する投写レンズユニット６とを備えて投写型表示装置１を構成するものであるから、電極端子１０Ｂと固定ばね１２とでの放電を防止して光源ランプ１０を十分に発光させることがででき、しかも、組立作業が簡単に行える投写型表示装置１を提供することが可能である。
【００８１】
なお、本発明は、前記実施形態に限定されるものではなく、本発明の目的を達成できる他の構成等を含み、以下に示すような変形等も本発明に含まれる。
【００８２】
例えば、前記実施形態では、光源装置１１とランプハウジング２２とを取り付けるための固定ばね１２を線ばねとしたが、本発明では、これに限定されるものではなく、固定ばねをコイルばねから構成してもよい。
【００８３】
さらに、リフレクタ２１は、その開口面の正面形状が側面を切り欠いて略矩形状とされたが、リフレクタ２１の開口面の平面形状を円形、楕円形、三角形、五角形等の矩形以外の形状とし、開口面に位置合わせ用基準面２１Ｃ，２１Ｄを形成するものでもよい。
【００８４】
また、リフレクタ２１は本体２１Ａの側面に形成された切欠部が露出した構造でもよい。
【００８５】
さらに、リフレクタ２１の開口面と、この開口面と当接するランプハウジング２２の当接部との間に補助付勢手段を必ずしも設けることを要しない。
【００８６】
また、ランプハウジング２２には金属製の把手２５を設けることを要せず、例えば、ランプハウジング２２の底面に引き抜き用の切欠を形成してもよい。
【００８７】
また、本実施形態では、リフレクタ２１には光源ランプ１０をＸ軸、Ｙ軸およびＺ軸に位置合わせして取り付けるための位置合わせ用基準面２１Ｃ，２１Ｄを必ずしも形成することを要しない。
【００８８】
【発明の効果】
以上に述べたように、本発明によれば、光源装置とランプハウジングとを取り付けるための固定ばねを、光源ランプの電極端子とは前記光源ランプの光軸を挟んで反対側となるように配置したから、電極端子と固定ばねとは相対的に最も離れた場所に位置することになり、電極端子と固定ばねとでの放電を防止することができ、光源ランプを十分に発光させることができるという効果がある。
【図面の簡単な説明】
【図１】本発明の一実施形態に係る投写型表示装置の全体構成を示す斜視図である。
【図２】前記投写型表示装置の内部構成を示す概略平面構成図である。
【図３】図２のＩＩＩ−ＩＩＩ線に沿った矢視断面図である。
【図４】光学ユニットおよび投写レンズユニットの部分を取り出して示す概略平面構成図である。
【図５】光学ユニットに組み込まれている光学系を示す概略構成図である。
【図６】光源ランプユニットの斜視図である。
【図７】図６とは異なる方向から見た光源ランプユニットの斜視図である。
【図８】光源ランプユニットの平面図である。
【図９】光源ランプユニットの側面図である。
【図１０】光源ランプユニットの背面図である。
【図１１】光源ランプユニットの底面図である。
【図１２】把手の一端部近傍の保持構造を示す断面図である。
【図１３】把手の中心部近傍の保持構造を示す断面図である。
【符号の説明】
１    投写型表示装置
６    投写レンズユニット
１０    光源ランプ
１０Ｂ  電極端子
１１    光源装置
１２    固定ばね
１３    補助付勢手段（コ字形クリップ）
２０    光源ランプユニット
２１    リフレクタ
２２    ランプハウジング
２５    把手
２５Ａ  把手本体
２５Ｂ  軸支部
９２５Ｒ，９２５Ｇ，９２５Ｂ  液晶ライトバルブ
【図１】
0003562290.tif 000002
【図２】
0003562290.tif 000003
【図３】
0003562290.tif 000004
【図４】
0003562290.tif 000005
【図５】
0003562290.tif 000006
【図６】
0003562290.tif 000007
【図７】
0003562290.tif 000008
【図８】
0003562290.tif 000009
【図９】
0003562290.tif 000010
【図１０】
0003562290.tif 000011
【図１１】
0003562290.tif 000012
【図１２】
0003562290.tif 000013
【図１３】
0003562290.tif 000014